(57)【要約】【課題】  簡単な方法で内装材の品番又は名称と、内装材のグレード又は材料名又はメーカ名等の文字情報と、内装材の画像情報とを一覧表示して、建築に対して素人であっても一目して理解できるようにする。【解決手段】  各単位セル群５の入力用セル６に入力された品番又は名称情報に基いて内装材文字データベース１に蓄積された該当品番又は名称に対応する内装材のグレード又は材料名又はメーカ名を文字表示用セル７に文字として表示する文字データ処理手段９を設ける。各単位セル群５の入力用セル６に入力された品番又は名称情報に基いて内装材画像データベース２に蓄積された該当品番又は名称に対応する内装材の画像を画像表示用セル８に画像として表示する画像データ処理手段１０を設ける。【選択図】        図１
2005044184.tif 000002
【特許請求の範囲】
【請求項１】
建物の内装材の品番又は名称に基いて品番又は名称に対応する内装材のグレード又は材料名又はメーカ名の文字データを蓄積した内装材文字データベースと、建物の内装材の品番又は名称に基いて品番又は名称に対応する内装材の画像データを蓄積した内装材画像データベースとを備え、
ディスプレーの画面上で行列の各方向に多数のセルが並んで表示される格子状画面に、３つのセルよりなる単位セル群が行方向、列方向にそれぞれ複数配置され、単位セル群を構成する３つのセルが内装材の品番又は名称を入力するための入力用セルと、品番又は名称に対応した内装材のグレード又は材料名又はメーカ名が文字として表示される文字表示用セルと、品番又は名称に対応した内装材が画像として表示される画像表示用セルとで構成され、
各単位セル群の入力用セルに入力された品番又は名称情報に基いて内装材文字データベースに蓄積された該当品番又は名称に対応する内装材のグレード又は材料名又はメーカ名の文字データを文字表示用セルに文字として表示する文字データ処理手段と、各単位セル群の入力用セルに入力された品番又は名称情報に基いて内装材画像データベースに蓄積された該当品番又は名称に対応する内装材の画像データを画像表示用セルに画像として表示する画像データ処理手段とを設けて成ることを特徴とする建築における内装提案システム。
【請求項２】
ディスプレーの画面上で行列の各方向に多数のセルが並んで表示される格子状画面の各セルの行方向、列方向のサイズを可変するセルサイズ可変手段を設け、画像データ処理手段に、内装材画像データベースに蓄積された内装材の画像データを画像表示用セルのサイズに対応した範囲に切り取って貼付けるための切り取り貼付け手段を備えていることを特徴とする請求項１記載の建築における内装提案システム。
【請求項３】
ディスプレーの画面上で行列の各方向に多数のセルが並んで表示される格子状画面の各セルの行方向、列方向のサイズを可変するセルサイズ可変手段を設け、
画像データ処理手段に、内装材画像データベースに蓄積された内装材の画像データを画像表示用セルのサイズに対応した範囲に切り取って貼付けるための切り取り貼付け手段と、内装材画像データベースに蓄積された内装材の画像データを画像表示用セルのサイズに対応した範囲に拡大、縮小して貼付けるための拡大・縮小貼付け手段とを備え、
入力用セルに入力された品番又は名称情報に基いて該当する品番又は名称の内装材が切り取りサンプルを表示するものか、あるいは、内装材の全体を表示するものかを区別する表示区別手段を設け、
切り取りサンプルを表示するものの場合には切り取り貼付け手段により内装材画像データベースに蓄積された該当する内装材の画像データを画像表示用セルのサイズに対応した範囲に切り取って貼付け、全体を表示するものの場合には内装材画像データベースに蓄積された内装材の画像データを画像表示用セルのサイズに対応した範囲に拡大、縮小して貼付けることを特徴とする請求項１記載の建築における内装提案システム。
【発明の詳細な説明】
【技術分野】
【０００１】
本発明は、建築における内装提案システムに関するものである。
【背景技術】
【０００２】
従来から建物を建てる際、建設会社、設計者等が顧客に対して建物の設計段階で各部屋（玄関や廊下も含む）の内装の提案、つまり、床材、壁材、天井材……照明器具、家具……等の各種内装材の提案を行うことが行われている。
【０００３】
このような内装の提案は通常、内装提案書に各部屋の名称を記入し、各部屋毎に提案しようとする床材、壁材、天井材、……照明器具、家具……等の品番又は名称を手書きで記入し、更に、品番又は名称に対応する内装材のグレード又は材料名又はメーカ名を手書きで記入し、更に、品番又は名称に対応する内装材のサンプル（実際の床材、壁材、天井材、カーテン等を小さなピースに切断したもの）を貼付け、このようにして手作りで作成した内装仕上げ計画書を顧客に見せて内装の提案を行うようにしている。
【０００４】
ところが、このような従来例においては、品番又は名称を手書きで記入すると共にこれに関連したグレード又は材料名又はメーカ名を手書きで記入する必要があるだけでなく、床材、壁材、天井材等のように切り取りサンプルが必要な内装材においては、手作業で実際の床材、壁材、天井材等を小さなピースに切断したサンプルを作成し、これを糊で貼付ける作業が必要であり、このため内装の提案を行うための内装仕上げ計画書の作成が非常に面倒であった。また、従来にあっては、上記のように内装材を小さなピースに切断して貼付けていたので、例えば照明器具や家具のように小さなピースに切断できないもの、あるいは小さなピースを見ても全体像が判らないものの場合には、単に、品番又は名称を手書きで記入すると共にこれに関連したグレード又は材料名又はメーカ名を手書きで記入しているだけであり、顧客にはこの内装提案書も見てもこれらの照明器具や家具が実際にどのようなものか理解ができず、このため、別の照明器具や家具等のカタログをそれぞれ見て該当する品番や名称の照明器具や家具がどのようなものであるかを確認する必要があるという問題があった。
【０００５】
一方、コンピュータを用いた建築における内装提案システムとして、建物の仕様及び仕上げを決定して建物の仕様書及び仕上げ表を作成するためのプレゼンテーションシステムが例えば特許文献１により知られている。
【０００６】
この特許文献１に示されたプレゼンテーションシステムは、表示装置（ディスプレー）に図８（ａ）に示すようなデータ作成画面３０を表示し、このデータ作成画面３０において、一つの項目（例えば「階段段板」という項目）名を示す項目表示窓３１と、該当する項目について選択した商品の形状を示す写真表示窓３２と、選択した項目の設備の名称又は商品名及びその識別番号を入力する名称入力窓３３と、選択した色や材質及びその識別番号を入力する色・材質入力窓３４を備えたもので、多数の項目毎に表示装置に上記データ作成画面３０をいちいち表示して、上記の入力作業を行い、その後、図８（ｂ）のような内装提案書３５を作成して、印刷し、これを内装提案書３５として顧客に提案するようにしている。
【０００７】
ところが、上記のような従来例にあっては、最終的にプリントアウトされる内装提案書３５には項目毎に仕様名称や品番等が文字で表示された仕様書が作成されるだけで、これを建築の素人である顧客が見ても、具体的な部屋の内装をイメージすることができないという問題がある。
【特許文献１】特開２０００−２０７４２９号公報
【発明の開示】
【発明が解決しようとする課題】
【０００８】
本発明は上記の従来の問題点に鑑みてなされたものであり、簡単な方法で部屋の各部に使用する内装材の品番又は名称と、品番又は名称に対応する内装材のグレード又は材料名又はメーカ名等の文字情報と、品番又は名称に対応する内装材の画像情報とを一覧表示して、建築に対して素人であっても一目して理解できるようにし、また、セルの大きさに対応して内装材を画像表示するに当たって、床材や壁材や天井材のように切り取りサンプルとして表面模様を表示する必要がある内装材と、照明器具のように全体像を表示する必要がある内装材とを識別して最も効果的に一目で使用する内装材が理解できるようにした建築における内装提案システムを提供することを課題とするものである。
【課題を解決するための手段】
【０００９】
上記課題を解決するために本発明に係る建築における内装提案システムは、建物の内装材の品番又は名称に基いて品番又は名称に対応する内装材のグレード又は材料名又はメーカ名の文字データを蓄積した内装材文字データベース１と、建物の内装材の品番又は名称に基いて品番又は名称に対応する内装材の画像データを蓄積した内装材画像データベース２とを備え、ディスプレー３の画面上で行列の各方向に多数のセルが並んで表示される格子状画面４に、３つのセルよりなる単位セル群５が行方向、列方向にそれぞれ複数配置され、単位セル群５を構成する３つのセルが内装材の品番又は名称を入力するための入力用セル６と、品番又は名称に対応した内装材のグレード又は材料名又はメーカ名が文字として表示される文字表示用セル７と、品番又は名称に対応した内装材が画像として表示される画像表示用セル８とで構成され、各単位セル群５の入力用セル６に入力された品番又は名称情報に基いて内装材文字データベース１に蓄積された該当品番又は名称に対応する内装材のグレード又は材料名又はメーカ名の文字データを文字表示用セル７に文字として表示する文字データ処理手段９と、各単位セル群５の入力用セル６に入力された品番又は名称情報に基いて内装材画像データベース２に蓄積された該当品番又は名称に対応する内装材の画像データを画像表示用セル８に画像として表示する画像データ処理手段１０とを設けて成ることを特徴とするものである。
【００１０】
このような構成とすることで、行方向、列方向にそれぞれ複数並んだ各単位セル群５の入力用セル６に、各部屋毎にそれぞれ各部屋の各部に使用する内装材（例えば、床材、壁材、天井材……照明器具、家具……）の品番又は名称を入力するのみで、文字表示用セル７に内装材文字データベース１に蓄積された該当品番又は名称に対応する内装材のグレード又は材料名又はメーカ名を表す文字データが自動的に文字として表示されると共に、画像表示用セル８に内装材画像データベース２に蓄積された該当品番又は名称に対応する内装材の画像データが自動的に画像として表示されるものであり、このようにして各単位セル群５に自動的に品番又は名称に対応した文字と画像とを自動的に表示することで、格子状画面４に各部屋の各部に施工される内装材の品番又は名称と、これに対応した文字と画像とが一覧表示されることになり、この格子状画面４を見たり、あるいはこれを印刷した内装提案書２９を見ることで、他の部屋、他の部位との比較（例えば、床、壁、天井等との比較や、部屋毎の比較等）をしながら一目で各部屋の各施工部位に施工される内装材の確認ができるものである。
【００１１】
また、ディスプレー３の画面上で行列の各方向に多数のセルが並んで表示される格子状画面４の各セルの行方向、列方向のサイズを可変するセルサイズ可変手段１３を設け、画像データ処理手段１０に、内装材画像データベース２に蓄積された内装材の画像データを画像表示用セル８のサイズに対応した範囲に切り取って貼付けるための切り取り貼付け手段１１を備えていることが好ましい。
【００１２】
セルサイズ可変手段１３によりセルのサイズを可変することで（例えばセルの大きさを大きくすることで）、顧客に対してある部位の内装材を強調して提案することが可能となり、しかも、このようにセルのサイズが変っても、画像表示用セル８のサイズに対応した範囲に内装材画像データベース２に蓄積された内装材の画像データを切り取って貼付けることで、表示される画像において内装材の模様の大きさが変わらないものであり、したがって、画像表示用セル８のサイズを可変しても常に内装材の模様を実物大の模様として表示することが可能となり、顧客に対して内装材の模様を実物大の大きさの模様として理解してもらえるものである。
【００１３】
また、ディスプレー３の画面上で行列の各方向に多数のセルが並んで表示される格子状画面４の各セルの行方向、列方向のサイズを可変するセルサイズ可変手段１３を設け、画像データ処理手段１０に、内装材画像データベース２に蓄積された内装材の画像データを画像表示用セル８のサイズに対応した範囲に切り取って貼付けるための切り取り貼付け手段１１と、内装材画像データベース２に蓄積された内装材の画像データを画像表示用セル８のサイズに対応した範囲に拡大、縮小して貼付けるための拡大・縮小貼付け手段１２とを備え、入力用セル６に入力された品番又は名称情報に基いて該当する品番又は名称の内装材が切り取りサンプルを表示するものか、あるいは、内装材の全体を表示するものかを区別する表示区別手段１４を設け、切り取りサンプルを表示するものの場合には切り取り貼付け手段１１により内装材画像データベース２に蓄積された該当する内装材の画像データを画像表示用セル８のサイズに対応した範囲に切り取って貼付け、全体を表示するものの場合には内装材画像データベース２に蓄積された内装材の画像データを画像表示用セル８のサイズに対応した範囲に拡大、縮小して貼付けることが好ましい。
【００１４】
セルサイズ可変手段１３によりセルの大きさを可変することで（例えばセルの大きさを大きくすることで）、顧客に対してある部位の内装材を強調して提案することが可能となり、しかも、このようにセルのサイズが変っても、表示区別手段１４により入力用セル６に入力された品番又は名称情報に基いて該当する品番又は名称の内装材が切り取りサンプルを表示するものか、あるいは、内装材の全体を表示するものかを区別して、切り取りサンプルを表示するものの場合には切り取り貼付け手段１１により内装材画像データベース２に蓄積された該当する内装材の画像データを画像表示用セル８のサイズに対応した範囲に切り取って貼付けて、表示される画像において内装材の模様の大きさが変わらないようにして表示したり、あるいは、全体を表示するものの場合には内装材画像データベース２に蓄積された内装材の画像データを画像表示用セル８のサイズに対応した範囲に拡大、縮小して貼付けることで全体を表示したりすることができ、これにより、セルの大きさに対応して内装材を画像表示するに当たって、床材や壁材や天井材のように切り取りサンプルとして表面模様を表示する必要がある内装材と、照明器具のように全体像を表示する必要がある内装材とを識別して最も効果的に一目で使用する内装材が理解できるように自動表示できて、よりいっそう顧客に対して内装材を一目で理解してもらえるようになるものである。
【発明の効果】
【００１５】
本発明にあっては、上記のように各単位セル群に品番又は名称に対応した文字と画像とを自動的に表示できて、格子状画面を見ることで、一目で複数箇所の内装材の品番又は名称と、これに対応した文字と画像とを確認でき、他の部位との比較（例えば、床、壁、天井等との比較や、部屋毎の比較等）をしながら内装材の確認ができ、従来のように手書きで必要事項を記入し、手作業で品番又は名称に対応する内装材を小さなピースに切断して貼付けるという作業を必要とせず、内装提案書の作成の省力化が図れ、このように、簡単な方法で内装材の品番又は名称と、内装材のグレード又は材料名又はメーカ名等の文字情報と、内装材の画像情報とを一覧表示できるので、建築に対して素人であっても一目して理解できるような内装提案が可能となる。
【発明を実施するための最良の形態】
【００１６】
以下、本発明を添付図面に示す実施形態に基づいて説明する。
【００１７】
図１には本発明の建築における内装提案システムのブロック図が示してあり、本実施形態においては、コンピュータ１５により建物の内装提案書２９を作成するシステムを開示している。本システムにおいてコンピュータ１５には内装材文字データベース１と、内装材画像データベース２とを備えている。
【００１８】
内装材文字データベース１には、建物の内装材の品番又は名称に基いて品番又は名称に対応する内装材のグレード又は材料名又はメーカ名の文字データを蓄積してある。ここで、「品番」とは各内装材である商品毎に管理されている番号のことであり、「名称」とは各商品の名称のことである。また、「グレード」とは、価格及び品質のグレードを示すもので、例えば、標準、デラックス等である。また、「材料名」とは各商品の材質、例えば、紙、プラスチック、布等である。また、「メーカ名」とは各商品の製造メーカ名、例えば、○○会社、△△会社等である。
【００１９】
また、内装材画像データベース２には、建物の内装材の品番又は名称に基いて品番又は名称に対応する内装材の画像データを蓄積してある。ここで、「画像データ」とは各商品を表示する画像データのことで、デジタルカメラ等で撮像した撮像データやスキャンデータ等があり、この画像データとしては、床材や壁材や天井材のように切り取りサンプルとして表面模様を表示する必要がある内装材の場合には該内装材の表面模様を上記のように撮像データ又はスキャンデータとして蓄積してあり、内装材が照明器具や家具のように全体として表示する必要があるものの場合には内装材（商品）の全体像を上記のように撮像データとして蓄積したり又は内装材（商品）の全体像が表示してあるカタログ等の写真をスキャナーでスキャンしたスキャンデータとして蓄積してある。
【００２０】
なお、内装材文字情報データベース１と、内装材画像データベース２とを設けるに当たり、品番又は名称に対応した内装材文字情報と画像情報とを例えば図７（ａ）のようなテーブルに一つにまとめ、このテーブルをデータベースに格納してもよく、あるいは品番又は名称とこれに対応した内装材文字情報との関係を例えば図７（ｂ）のようなテーブルとして作成してこれを内装材文字情報データベース１に格納すると共に、品番又は名称に対応した各内装材画像データのファイルを内装材画像データベース２に格納し、上記内装材文字情報データベース１に格納された各文字情報と、内装材画像データベース２に格納した上記品番又は名称に対応した画像情報のファイルとを紐付けしてリンクさせるようにしてもよい。前者の場合には、図７（ａ）のように、各レコード毎に各内装材の商品の品番又は名称を登録する品番・名称登録フィールド２８ａ、品番又は名称に対応する内装材のグレード又は材料名又はメーカ名の文字データを登録する文字情報登録フィールド２８ｂ、品番又は名称に対応する画像データを登録する画像データ登録フィールド２８ｃが設けてある。また、後者の場合には内装材文字情報データベース１に登録するテーブルとして、図７（ｂ）のように、各レコード毎に各内装材の商品の品番又は名称を登録する品番・名称登録フィールド２８ａ、品番又は名称に対応する内装材のグレード又は材料名又はメーカ名の文字データを登録する文字情報登録フィールド２８ｂが設けてある。
【００２１】
コンピュータ１５にはディスプレー３が接続してある。コンピュータ１５には表計算プログラム１６が設けてあって、表計算プログラム１６を実行することでディスプレー３の画面上に図２（ａ）に示すような行列の各方向に多数のセルが並んで表示される格子状画面４が表示される。
【００２２】
図２（ａ）に示す実施形態において、格子状画面４の上段には該当する建物の平面図等の図面１９等を貼り付けて表示するための図面表示用セル２０となっており、このセルは複数個のセルを結合して形成してある。格子状画面４の下段には図２（ｂ）に示すような３つのセルよりなる単位セル群５が行方向、列方向にそれぞれ複数配置してある。この単位セル群５を構成する３つのセルは内装材の品番又は名称を入力するための入力用セル６と、品番又は名称に対応した内装材のグレード又は材料名又はメーカ名が文字として表示される文字表示用セル７と、品番又は名称に対応した内装材が画像として表示される画像表示用セル８とで構成してある。
【００２３】
また、複数行並んだ単位セル群５の左端にはそれぞれ部屋名が表示された部屋名表示用セル１７を設けてあり、この部屋名表示用セル１７は一列に複数並んでおり、「玄関、階段、廊下」、「1階洋室８畳」、「1階洋室3畳」、「洗面・脱衣室」……といった部屋名を入力して表示するようになっている。また、複数列並んだ単位セル群５の上端にはそれぞれ内装材を施工する部位名又は施工する内装材の種類名を表示した施工部位・種類名表示用セル１８を設けてあり、この施工部位・種類名表示用セル１８は横に一行並んでおり、「床」、「壁」、「天井」、……「照明器具」、「家具」……といった施工部位名又は施工する内装材の種類名が入力表示される。
【００２４】
上記セルは表計算プログラム１６に設けられたセルサイズ可変手段１３により格子状画面４の各セルの行方向、列方向のサイズを可変することができるようになっている。ここで、セルサイズ可変手段１３によりセルのサイズを可変すると、顧客に対してある部位の内装材を強調して提案することが可能となり、より提案効果の高い内装提案書を作成することが可能となる。例えば、壁材を強調して提案したい場合、図４のように壁材に対応するセルの大きさを大きくし提案することができる。
【００２５】
各単位セル群５の入力用セル６には該当する部屋名（例えば1階洋室８畳）の該当する箇所（例えば床）に使用する内装材の品番又は名称や、該当する部屋に施工する洗面化粧台や下駄箱といった家具、照明器具といった内装材の品番又は名称を入力することができるようになっており、この入力用セル６への入力に当たってはキーボードで文字、数字、記号等を打ち込むことにより入力するようにしてもよく、あるいは各入力用セル６毎に多数の品番又は名称を備えたプルダウンメニューを表示できるようにして、プルダウンメニューの中から選択して該当する品番や名称のものをクリックすることで入力するようにしてもよい。
【００２６】
図１に示すように、コンピュータ１５には各単位セル群５の入力用セル６に入力された品番又は名称情報に基いて内装材文字データベース１に蓄積された該当品番又は名称に対応する内装材のグレード又は材料名又はメーカ名の文字情報を文字表示用セル７に文字として表示する文字データ処理手段９と、各単位セル群５の入力用セル６に入力された品番又は名称情報に基いて内装材画像データベース２に蓄積された該当品番又は名称に対応する内装材の画像データを画像表示用セル８に画像として表示する画像データ処理手段１０とが設けてある。
【００２７】
上記画像データ処理手段１０には、内装材画像データベース２に蓄積された内装材の画像データを画像表示用セル８のサイズに対応した範囲に切り取って貼付けるための切り取り貼付け手段１１と、内装材画像データベース２に蓄積された内装材の画像データを画像表示用セル８のサイズに対応した範囲に拡大、縮小して貼付けるための拡大・縮小貼付け手段１２とが備えてある。
【００２８】
また、コンピュータ１５には入力用セル６に入力された品番又は名称情報に基いて該当する品番又は名称の内装材が切り取りサンプルを表示するものか、あるいは、内装材の全体を表示するものかを区別する表示区別手段１４を備えている。
【００２９】
ここで、例えば入力用セル６に入力された品番又は名称情報が、床材、壁材、天井材等のように切り取りサンプルとして材料の表面模様を表示する必要がある内装材の場合には、これを表示区別手段１４で識別し、その情報に基いて切り取り貼付け手段１１により内装材画像データベース２に蓄積された内装材の画像データを画像表示用セル８のサイズに対応した範囲に切り取って貼付けるようになっている。また、内装材が照明器具や家具のように全体として表示する必要があるものの場合には、これを表示区別手段１４で識別し、その情報に基いて拡大・縮小貼付け手段１２により内装材画像データベース２に蓄積された内装材の画像データを画像表示用セル８のサイズに対応した範囲に拡大、縮小して全体画像を貼付けるようになっている。
【００３０】
表示区別手段１４により入力用セル６に入力された品番又は名称情報に基いて該当する品番又は名称の内装材が切り取りサンプルを表示するものか、あるいは、内装材の全体を表示するものかを区別するに当たっては、例えば、入力される品番や名称に表示区別を行うための情報を付加し、これを表示区別手段１４で識別するようにする。
【００３１】
次に、本発明の内装提案書の作成をするための処理を図６のフローチャートに基いて説明する。
【００３２】
まず、表計算プログラム１６を起動することでデスプレー３の画面上に図２（ａ）に示すような格子状画面４を表示し、図３に示すように各部屋名の各施工部位名に対応した単位セル群５の入力用セル６に品番又は名称を入力する。例えば、部屋名が「1階洋室８畳」で施工部位が「床」の場合、該当する単位セル群５の入力用セル６に「品番又は名称」として「○○○○」と入力すると、この入力用セル６に入力された品番又は名称情報に基いて文字データ処理手段９により内装材文字データベース１に蓄積された該当品番又は名称に対応する内装材のグレード又は材料名又はメーカ名の文字データが文字表示用セル７に自動的に文字として表示される。また、入力用セル６に入力された品番又は名称情報に基いて、画像データ処理手段１０により内装材画像データベース２に蓄積された該当品番又は名称に対応する内装材の画像データが画像表示用セル８に画像として表示されるのであるが、この場合、上記のように、入力された品番又は名称の内装材が、床材、壁材、天井材等のように切り取りサンプルとして材料の表面模様を表示する必要がある内装材の場合には、表示区別手段１４で識別し、切り取り貼付け手段１１により内装材画像データベース２に蓄積された内装材の画像データを画像表示用セル８のサイズに対応した範囲に切り取って貼付けるものである。一方、内装材が照明器具や家具のように全体として表示する必要があるものの場合には、これを表示区別手段１４で識別し、拡大・縮小貼付け手段１２により内装材画像データベース２に蓄積された内装材の画像データを画像表示用セル８のサイズに対応した範囲に拡大、縮小して内装材の全体画像を貼付けるものである。これにより、内装材として切り取りサンプルとして表面模様を表示する必要があるものの場合には、図４のようにセルのサイズが変わっても模様の大きさは同じ大きさに表示できて、セルのサイズを変えても模様自体の大きさが変わらず、画面を見る人にとって模様の大きさの認識が正確にできるものである。また、内装材として全体像を表示する必要があるものの場合には、セルのサイズが変わっても内装材の全体像を拡大、縮小するだけでいずれの場合も内装材の全体像を表示できて、セルのサイズを変えても画面を見る人にとって内装材の全体像を正確に認識できるものである。
【００３３】
上記のようにして次々と各部屋名の各施工部位名に対応した単位セル群５の入力用セル６に品番又は名称を入力し、各単位セル群５の文字表示セル７、画像表示用セル８に該当する文字、該当する画像を表示し、このようにして全ての入力を行った後、データを保存し、プリンターにより印刷することで内装提案書２９を作成するものである。
【００３４】
このようにして印刷された内装提案書２９は図５に示すようなもので、図３の格子状画面４に対応した内装提案書２９が作成される。つまり、内装提案書２９の上段には図面表示用セル２０に対応した図面を印刷した図面表示部２１となり、下段には単位セル群５に対応する３つの小表示部よりなる内装材表示部２２が行方向、列方向にそれぞれ複数配置してあり、この内装材表示部２２を構成する３つの小表示部は入力用セル６に対応した品番又は名称を印刷表示する品番・名称印刷表示部２３、文字表示用セル７に対応した内装材のグレード又は材料名又はメーカ名を印刷表示する内容印刷表示部２４と、画像表示用セル８に対応した内装材の画像を印刷して表示する画像印刷表示部２５とで構成してある。更に、部屋名表示用セル１７に対応した部屋名印刷表示部２６、施工部位・種類名表示用セル１８に対応した施工部位印刷表示表示部２７が設けてある。
【００３５】
そして、本発明においては、上記のような内装提案書２９をプリンターで印刷するに当たって、印刷された内装提案書２９における画像印刷表示部２５に印刷された印刷画像において、画像表示用セル８に貼付けられた画像が、切り取り貼付け手段１１により内装材画像データベース２に蓄積された内装材の画像データを画像表示用セル８のサイズに対応した範囲に切り取って貼付けられたものの場合、プリンターであらかじめ設定されたプリント条件で印刷された場合、画像印刷表示部２５に印刷された印刷画像の模様が実物大となるようにあらかじめ設定してある。つまり、画像表示用セル８のサイズが変わると印刷される画像印刷表示部２５のサイズも変わるが、画像印刷表示部２５の印刷のサイズが変わっても画像印刷表示部２５に印刷される内装材の模様の大きさは変わらない（実物大）ものであり、これにより、印刷された内装提案書２９を見た顧客は実物大の内装材の模様を見て、該当する部屋の床材、壁材、天井材等の内装材のイメージを正確に認識することができるものである。一方、照明器具や家具等の内装材の場合には画像印刷表示部２５の印刷のサイズが変わっても、画像印刷表示部２５内に拡大、縮小されて内装材である照明器具や家具の全体像が印刷されるため、該当する部屋における照明器具や家具の全体像のイメージを正確に認識することができるものである。
【００３６】
なお、内装材文字情報データベース１、内装材画像データベース２はＣＤ−ＲＯＭに登録し、これをコンピュータ１５に読み取るようにしてもよく、あるいは、ネットワークサーバに内装材文字情報データベース１、内装材画像データベース２を設け、ネットワークサーバとインターネットやイントラネットのような通信ネットワークを介して端末の個別のコンピュータ１５と接続し、通信ネットワークを介してネットワークサーバから個別のコンピュータ１５に内装材文字情報データベース１、内装材画像データベース２の文字情報や、画像情報を送信して上記のような内装提案書の作成処理を行うようにしてもよいものである。このように通信ネットワークを介してネットワークサーバと端末の個別コンピュータとを接続するものにおいては、ネットワークサーバに設けた内装材文字情報データベース１、内装材画像データベース２に新たに加える内装材のデータの追加や、生産中止になった内装材のデータの削除等をネット1箇所において集中的に管理でき、多数の端末の個別のコンピュータ１５を使用する多数の設計者、営業マン、全国の支店において、それぞれ最新の内装材に関するデータを使用して上記のような内装提案書の作成処理を個別のコンピュータ１５により行うことができるものである。
【図面の簡単な説明】
【００３７】
【図１】本発明の一実施形態のブロック図である。
【図２】（ａ）は同上のディスプレーに表示される格子状画面を示す説明図であり、（ｂ）は単位セル群を示す説明図である。
【図３】同上の格子状画面の各単位セル群の入力用セルに品番又は名称を入力することで文字表示用セルに文字が入力されると共に画像表示用セルに画像が入力された例を示す説明図である。
【図４】同上の一部のセルのサイズを大きくした例を示す説明図である。
【図５】同上のプリンタで印刷した内装提案書の一例を示す説明図である。
【図６】同上のフローチャートを示す説明図である。
【図７】（ａ）（ｂ）は同上のデータベースに格納するテーブルの各例を示す説明図である。
【図８】従来例を示し、（ａ）はディスプレー上に表示されるデータ作成画面を示す説明図であり、（ｂ）は印刷された仕様書を示す説明図である。
【符号の説明】
【００３８】
１  内装材文字データベース
２  内装材画像データベース
３  ディスプレー
４  格子状画面
５  単位セル群
６  入力用セル
７  文字表示用セル
８  画像表示用セル
９  文字データ処理手段
１０  画像データ処理手段
１１  切り取り貼付け手段
１２  拡大・縮小貼付け手段
１３  セルサイズ可変手段
１４  表示区別手段
【図１】
2005044184.tif 000003
【図２】
2005044184.tif 000004
【図３】
2005044184.tif 000005
【図４】
2005044184.tif 000006
【図５】
2005044184.tif 000007
【図６】
2005044184.tif 000008
【図７】
2005044184.tif 000009
【図８】
2005044184.tif 000010